(57)【要約】【課題】本発明は、従来同質のプラスチック製の袋に人手等で投入押圧して詰め込み、満杯となった袋を溶融装置に投入して再処理していたたシート状や袋状のプラスチックス製品の廃材や端材を、押圧することなく蓄積し、下層部からベルトコンベアで取り出して再処理装置に投入できる人手の掛からない蓄積・投入装置の提供を課題とする。【解決手段】シート状や袋状のプラスチックス製品の廃材や端材を一時貯留する貯留室と、貯留室の下方に配設されたプラスチック製品の廃材や端材を貯留室の側面から搬出するベルトコンベアと、該ベルトコンベアを貯留室下方に回動自在に支持する支持機構と、支持機構に支持されたベルトコンベアの傾斜角度を調節する傾斜角度調節機構とで構成され、ベルトコンベアの傾斜角度調節によって貯留室の一側面を開閉してシート状や袋状のプラスチック製品の廃材や端材の貯留と搬送を可能とした貯留・投入補助装置による。【選択図】図３
2018069595.tif 000002
【特許請求の範囲】
【請求項１】
シート状や袋状のプラスチックス製品の廃材や端材を一時貯留し、再資源化する溶融装置に搬出して投入するためのプラスチックス廃材・端材の貯留・投入補助装置であって、
プラスチックス製品の廃材や端材を一時貯留する一側壁が開口された開口壁部を有すう貯留室（１）と、
前記貯留室（１）の開口壁部の下方に配設され、前記貯留室（１）に貯留されたシート状や袋状のプラスチック製品の廃材や端材を前記貯留室（１）の一方の側面から順次貯留室（１）の上方外に搬出するベルトコンベア（２）と、
前記ベルトコンベア（２）の一方のテールローラ−（２３ａ）の回転軸の位置を前記ベルトコンベア（１）の傾斜角度を調節する回動軸として前記貯留室（１）の下部に配設されるベルトコンベアの支持機構（３）と、
前記ベルトコンベア（２）を前記ベルトコンベアの支持機構（３）を回動軸として回動させてその傾斜角度を調節する傾斜角度調節機構（４）とで構成されてなることを特徴とするプラスチックス廃材・端材の貯留・投入補助装置。
【請求項２】
前記貯留室（１）が、上部はシート状や袋状のプラスチック製品の廃材や端材が投入できるよう開放され、
左右いずれか一方の側面壁板（１０ａ）が、垂直面でなる上部とその下端から下方内側に向けて傾斜させてなる傾斜面とで形成され、前面壁板（１０ｂ）及び背面壁板（１０ｃ）が、その一方の側辺を前記側面壁板（１０ａ）の断面形状に合致させた形状とされ、もう一方の側辺が、前記ベルトコンベア（２）の傾斜角度調節による回動軌道に合致する円弧状に形成されてなり、残された側面と底面とが開放状態の筐体（１０）と、
前記開放状態とされた筐体（１０）の一方の側面と底面とを塞ぐようにして配設された前記ベルトコンベア（２）とで形成されてなることを特徴とする請求項１に記載のプラスチックス廃材・端材の貯留・投入補助装置。
【請求項３】
前記ベルトコンベア（２）が、一方のテールローラー（２３ａ）側は前記貯留室（１）の下部に配設されたベルトコンベア支持機構（３）に回動可能に支持され、もう一方のテールローラー（２３ｂ）側は前記筐体（１０）の開放された側面から筐体（１０）外に突出するように配設され、その先端部に、ベルトコンベア（２）で搬出されてきたシート状又は袋状のプラスチック製品の廃材や端材を堰き止め、次工程の再生処理装置へ搬送するベルトコンベア上に拡散させることなく落下させるための排出部（５）を有してなることを特徴とする請求項１又は２に記載のプラスチックス廃材・端材の貯留・投入補助装置。
【請求項４】
前記ベルトコンベア（２）が、そのコンベアベルト（２１）の表面に、金属製の高さの異なる２種の溝型部材（２１ａ、２１ｂ）を交互に複数配設、固着されてなることを特徴とする請求項１〜３のいずれか１項に記載のプラスチックス廃材・端材の貯留・投入補助装置。
【請求項５】
前記ベルトコンベアの傾斜角度調節機構（４）が、
前記ベルトコンベア（２）の傾斜角度を調節するための回転ハンドル（４１）と、該回転ハンドル（４１）の回動をねじ棒（４２）の上下動に変換するギアボックス（４３）と、前記ねじ棒（４２）の上端に固着され、後述する前記ベルトコンベア（２）に備えられた小型ローラー（２５）を載置して前記ねじ棒（４２）の上下動をベルトコンベア（２）に伝達する直方形状の傾斜角度調節板（４４）と、前記傾斜角度調節板（４４）の左右両端下面に垂設され、下部を前記ギアボックス（４３）を配設した基板（４７）上に並べて配設された軸受（４６）に摺動可能に挿通支持された前記傾斜角度調節板（４４）の水平保持棒（４５）とで構成される昇降機構と、
前記昇降機構の真上に位置する前記ベルトコンベア（２）のフレーム（２２）の両側面から下方に向けて突設された２枚の小型ローラー支持板（２６）の下端部間に渡設された軸体に回動自在に装着され、かつコンベアベルト（２１）の表面に設けた前記溝型部材（２１、２１ｂ）に接触しないようにして設けられた小型ローラー（２５）とからなるベルトコンベアの傾斜角度調節部材と
で構成されてなることを特徴とする請求項１〜４のいずれか１項に記載のプラスチックス廃材・端材の貯留・投入補助装置。
【請求項６】
前記ベルトコンベア（２）の傾斜角度調節機構（３）が、前記ベルトコンベア（２）が前記貯留室（１）の外側に突出する側の架台（６）端部の前後２箇所に設けられ、前記回転ハンドル（４１）の回転軸（４１ａ）が前記前後２箇所に設けられた傾斜角度調節機構（４）の２つのギアボックス（４３）を結合するよう配設されてなることを特徴とする請求項１〜４のいずれか１項に記載のプラスチックス廃材・端材の貯留・投入補助装置。
【発明の詳細な説明】
【技術分野】
【０００１】
シート状や袋状のプラスチックス製品の廃材や端材を一時貯留し、再資源化する溶融装置に搬出して投入するプラスチックス廃材・端材の貯留・投入補助装置に関する。
【背景技術】
【０００２】
ペットボトル等の廃プラスチック容器やプラスチック被覆電線廃材等からプラスチックを分離して再利用する装置ついての発明は、例えば特開平１０−１００１５３号公報や特開２０００−３１７３４０号公報に見られるが、シート状や袋状のプラスチック廃材や端材を一時貯留して搬出し、再資源化する溶融装置に投入する装置についての発明は見られない。これは、シート状又は袋状のプラスチックの廃材や端材は、柔軟かつ軽量で一時貯留しても自重で容積が縮減されることが期待できず、また取り出すにも手間が掛かること等によるためであり、したがって従来は収集容器に予め同質のプラスチック製の袋を装着し、この袋に前記シート状又は袋状のプラスチックの廃材や端材を投入の都度押圧して詰め込み、満杯となった袋を溶融装置に投入して再処理するのが一般的であった。そのため大量のシート状又は袋状のプラスチックの廃材や端材を再生処理するには、人手や容器、押圧装置などを必要としていた。
【先行技術文献】
【特許文献】
【０００３】
【特許文献１】特開平１０−１００１５３号公報
【特許文献２】特開２０００−３１７３４０号公報
【発明の概要】
【発明が解決しようとする課題】
【０００４】
本発明は、上記背景技術の問題に鑑みてなされたもので、押圧することなく貯留室に投入蓄積されたシート状や袋状のプラスチックス製品の廃材や端材を、その下層部からベルトコンベアによって取り出して再処理装置に投入できるプラスチックス製品の廃材・端材の貯留・投入補助装置の提供を課題とした。
【課題を解決するための手段】
【０００５】
本発明者は上記課題を下記の手段によって解決した。
（１）シート状や袋状のプラスチックス製品の廃材や端材を一時貯留し、再資源化する溶融装置に搬出して投入するためのプラスチックス廃材・端材の貯留・投入補助装置であって、
プラスチックス製品の廃材や端材を一時貯留する一側面壁が開口された開口壁部を有する貯留室と、
前記貯留室の開口壁部の下方に配設され、前記貯留室に貯留されたシート状や袋状のプラスチック製品の廃材や端材を前記貯留室の一方の側面から順次貯留室の上方外に搬出するベルトコンベアと、
前記ベルトコンベアの一方のテールローラ−の回転軸の位置を前記ベルトコンベアの傾斜角度を調節する回動軸して前記貯留室の下部に配設される別とコンベアの支持機構と、
前記ベルトコンベアを前記ベルトコンベアの支持機構を回動軸として回動させてその傾斜角度を調節する傾斜角度調節機構とで構成されてなることを特徴とするプラスチックス廃材・端材の貯留・投入補助装置。
【０００６】
（２）前記貯留室が、上部はシート状や袋状のプラスチック製品の廃材や端材が投入できるよう開放され、
左右いずれか一方の側面壁板が、垂直面でなる上部とその下端から下方内側に向けて傾斜させてなる傾斜面とで形成され、前面壁板及び背面壁板が、その一方の側辺を前記側面壁板ａ）の断面形状に合致させた形状とされ、もう一方の側辺が、前記ベルトコンベアの傾斜角度調節による回動軌道に合致する円弧状に形成されてなり、残された側面と底面とが開放状態の筐体と、
前記開放状態とされた筐体の一方の側面と底面とを塞ぐようにして配設された前記ベルトコンベアとで形成されてなることを特徴とする（１）に記載のプラスチックス廃材・端材の貯留・投入補助装置。
【０００７】
（３）前記ベルトコンベアが、一方のテールローラー側は前記貯留室の下部に配設されたベルトコンベア支持機構に回動可能に支持され、もう一方のテールローラー側は前記筐体の開放された側面から筐体外に突出するように配設され、その先端部に、ベルトコンベアで搬出されてきたシート状又は袋状のプラスチック製品の廃材や端材を堰き止め、次工程の再生処理装置へ搬送するベルトコンベア上に拡散させることなく落下させるための排出部を有してなることを特徴とする（１）又は（２）に記載のプラスチックス廃材・端材の貯留・投入補助装置。
【０００８】
（４）前記ベルトコンベアが、そのコンベアベルトの表面に、金属製の高さの異なる２種の溝型部材を交互に複数配設、固着されてなることを特徴とする（１）〜（３）のいずれか１項に記載のプラスチックス廃材・端材の貯留・投入補助装置。
【０００９】
（５）前記ベルトコンベアの傾斜角度調節機構が、
前記ベルトコンベアの傾斜角度を調節するための回転ハンドルと、該回転ハンドルの回動をねじ棒の上下動に変換するギアボックスと、前記ねじ棒の上端に固着され、後述する前記ベルトコンベアに備えられた小型ローラーを載置して前記ねじ棒の上下動をベルトコンベアに伝達する直方形状の傾斜角度調節板と、前記傾斜角度調節板の左右両端下面に垂設され、下部を前記ギアボックスを配設した基板上に並べて配設された軸受に摺動可能に挿通支持された前記傾斜角度調節板の水平保持用棒状体とで構成される昇降機構と、
前記昇降機構の真上に位置する前記ベルトコンベアのフレームの両側面から下方に向けて突設された２枚の支持板の下端部間に渡設された軸体に回動自在に装着され、かつコンベアベルトの表面に設けた前記溝型部材に接触しないようにして設けられた小型ローラーとからなるベルトコンベアの傾斜角度調節部材と
で構成されてなることを特徴とする（１）〜（４）のいずれか１項に記載のプラスチックス廃材・端材の貯留・投入補助装置。
【００１０】
（６）前記ベルトコンベアの傾斜角度調節機構が、前記ベルトコンベアが前記貯留室の外側に突出する側の架台端部の前後２箇所に設けられ、前記回転ハンドルの回転軸が前記前後２箇所に設けられた傾斜角度調節機構の２つのギアボックスを結合するよう配設されてなることを特徴とする（１）〜（５）のいずれか１項に記載のプラスチックス廃材・端材の貯留・投入補助装置。
【発明の効果】
【００１１】
本発明のプラスチックス廃材・端材の貯留・投入補助装置によって下記の効果が発揮される。
〈１〉シート状や袋状のプラスチックス製品の廃材や端材を一時貯留し、再資源化する溶融装置に搬出して投入するためのプラスチックス廃材・端材の貯留・投入補助装置であって、
プラスチックス製品の廃材や端材を一時貯留する貯留室と、
前記貯留室の下方に配設され、前記貯留室に貯留されたシート状や袋状のプラスチック製品の廃材や端材を前記貯留室の一方の側面から順次貯留室の上方外に搬出するベルトコンベアと、
前記ベルトコンベアの一方のテールローラ−の回転軸の位置を前記ベルトコンベアの傾斜角度を調節する回動軸として前記貯留室の下部に配設される別とコンベアの支持機構と、
前記ベルトコンベアを前記ベルトコンベアの支持機構を回動軸として回動させてその傾斜角度を調節する傾斜角度調節機構とで構成されているので、
前記シート状や袋状のプラスチックス製品の廃材や端材を貯留室に投入する際に押し込むことなく、搬出にはベルトコンベアを作動させればよく、袋詰め等の人手を要する作業が皆無となり、貯留、搬出工程の自動化が可能となる。したがて、大量のシート状や袋状のプラスチックス製品の廃材や端材の再生処理が容易かつ迅速に実施できる。
【００１２】
〈２〉前記貯留室が、上部はシート状や袋状のプラスチック製品の廃材や端材が投入できるよう開放され、
左右いずれか一方の側面壁板が、垂直面でなる上部とその下端から下方内側に向けて傾斜させてなる傾斜面とで形成され、前面壁板及び背面壁板が、その一方の側辺を前記側面壁板の断面形状に合致させた形状とされ、もう一方の側辺が、前記ベルトコンベアの傾斜角度調節による回動軌道に合致する円弧状に形成されてなり、残された側面と底面とが開放状態の筐体と、
前記開放状態とされた筐体の一方の側面と底面とを塞ぐようにして配設された前記ベルトコンベアとで形成されているので、
シート状又は袋状のプラスチック製品の廃材や端材の貯留時には前記ベルトコンベアの傾斜角度を最大にして前記筐体の開放部を閉鎖でき、前記シート状又は袋状のプラスチック製品の廃材や端材を貯留室外へ拡散させることなく貯留でき、搬出時にはベルトコンベアの傾斜角度を次工程の再生処理装置へ搬送するベルトコンベアの端末の高さに対応する角度として開口部の閉鎖を解除し、貯留された前記シート状又は袋状のプラスチック製品の廃材や端材を下部から順次前記ベルトコンベアの駆動によって搬出され、かつ前記ベルトコンベアの両脇に前記筐体側板の円弧状に形成された部分がベルトコンベアの側板としての機能を果たすことから、前記シート状又は袋状のプラスチック製品の廃材や端材がベルトコンベアの両脇からこぼれ落ちることなく、安全確実な搬送が確保できる。
【００１３】
〈３〉前記ベルトコンベアが、一方のテールローラー側は前記貯留室の下部に配設されたベルトコンベア支持機構に回動可能に支持され、もう一方のテールローラー側は前記筐体の開放された側面から筐体外に突出するように配設され、その先端部に、ベルトコンベアで搬出されてきたシート状又は袋状のプラスチック製品の廃材や端材を堰き止め、次工程の再生処理装置へ搬送するベルトコンベア上に拡散させることなく落下させるための排出部を有しているので、
前記シート状又は袋状のプラスチック製品の廃材や端材を、次工程の再生処理装置へ搬送するベルトコンベア上に拡散させることなく落下させられ、次工程の再生処理装置に安全確実に送り込むことができる。
【００１４】
〈４〉前記ベルトコンベアが、そのベルトの表面に、金属製の高さの異なる２種の溝型部材を交互に複数配設、固着されているので、
軽量かつ柔軟なシート状や袋状のプラスチックス製品の廃材や端材を、前記金属製の高さの異なる２種の溝型部材が引っかけて搬出でき、搬出作業が効率よく実施できる。
【００１５】
〈５〉前記ベルトコンベアの傾斜角度調節機構が、
前記ベルトコンベアの傾斜角度を調節するための回転ハンドルと、該回転ハンドルの回動をねじ棒の上下動に変換するギアボックスと、前記ねじ棒の上端に固着され、後述する前記ベルトコンベアに備えられた小型ローラーを載置して前記ねじ棒の上下動をベルトコンベアに伝達する直方形状の傾斜角度調節板と、前記傾斜角度調節板の左右両端下面に垂設され、下部を前記ギアボックスを配設した基板上に並べて配設された軸受に摺動可能に挿通支持された前記傾斜角度調節板の水平保持用棒状体とで構成される昇降機構と、
前記昇降機構の真上に位置する前記ベルトコンベアのフレームの両側面から下方に向けて突設された２枚の支持板の下端部間に渡設された軸体に回動自在に装着され、かつコンベアベルトの表面に設けた前記溝型部材に接触しないようにして設けられた小型ローラーとからなるベルトコンベアの傾斜角度調節部材とで構成されているので、
ハンドルの回転操作によって前記ギヤボックスを介してねじ棒が上下しするのに伴って、前記ねじ棒上端に固着された傾斜角度調節板上を前記小型ローラーが回動して移動することから、前記ベルトコンベアが前記ベルトコンベア支持機構を回動軸とし回動するため、回転ハンドルの操作量によってベルトコンベアの傾斜角度が任意に調整でき、前記シート状又は袋状のプラスチックシート廃材や端材を貯留する貯留室の一側面として機能させるときは傾斜角度を最大にして前記筐体の側面の開放部を塞ぎ、搬出時には傾斜角を小さくして前記筐体の側面の開放部の封鎖を解除し、次工程へのベルトコンベアの端末の高さに対応する角度に調節して前記ベルトコンベアを稼働すれば、貯留室内に貯留されたシート状又は袋状のプラスチック製品の廃材や端材を次工程の再処理装置へ安全確実に送り込むことができる。
また、前記傾斜角度調節板上を前記小型ローラーが移動にすることによって、前記傾斜角度調整板へのベルトコンベアの荷重点が変化するが、前記傾斜角度調節板の左右両端下面に垂設され、下部を前記ギアボックスを配設した基板上に並べて配設された軸受に摺動可能に挿通支持された前記傾斜角度調節板の水平保持棒によって、前記傾斜角度調節板の水平度が保持されるので、
ベルトコンベアの傾斜角度の調節が円滑、確実．安全に実施できる。
【００１６】
〈６〉前記ベルトコンベアの傾斜角度調節機構が、前記ベルトコンベアが前記貯留室の外側に突出する側の架台端部の前後２箇所に設けられ、前記回転ハンドルの回転軸が前記前後２箇所に設けられた角度調節機構の２つのギアボックスを結合するよう配設されてなるので、
ベルトコンベアの傾斜角度調節が、回転ハンドルの操作のみで円滑。確実、安全に実施できる。
【図面の簡単な説明】
【００１７】
【図１】本発明のプラスチック廃材・端材の貯留・投入補助装置の外観斜視図
【図２】本発明のプラスチック廃材・端材の貯留・投入補助装置の前面図
【図３】本発明のプラスチック廃材・端材の貯留・投入補助装置の貯留時の構成を示す横断面図
【図４】本発明のプラスチック廃材・端材の貯留・投入補助装置の搬出時の構成を示す横断面図
【図５】ベルトコンベア傾斜角度調節機構の構成及び作用説明図
【発明を実施するための形態】
【００１８】
本発明のプラスチックス廃材・端材の貯留・投入補助装置を実施する形態を実施例の図に基づいて説明する。
図１は本発明のプラスチック廃材・端材の貯留・投入補助装置の外観斜視図、図２は本発明のプラスチック廃材・端材の貯留・投入補助装置の前面図、図３は本発明のプラスチック廃材・端材の貯留・投入補助装置の貯留時の構成を示す横断面図、図４は本発明のプラスチック廃材・端材の貯留・投入補助装置の搬出時の構成を示す横断面図、図５はベルトコンベア斜角度調節機構の構成及び作用説明図である。
図において１は貯留室、２はベルトコンベア、３はベルトコンベア支持機構、４は傾斜角度調節機構、５は排出部、６は架台、６ａはキャスター、６ｂはストッパー、１０は筐体、１０ａは側板、１０ｂは前面壁板、１０ｃは背面壁板であり、２１はコンベアベルト、２１ａ、２１ｂは溝型部材、２２はフレーム、２３ａ、２３ｂはテールローラー、２４は回転モーター、２５は小型ローラー、２６は小型ローラー取付支持板、である。そして４１は回転ハンドル、４２はねじ棒、４３はギアボックス、４４は傾斜角度調節板、４５は水平保持棒、４６は軸受、４７は基板を示す。
【００１９】
本発明のプラスチックス廃材・端材の貯留・投入補助装置は、図１〜図４に示すように、シート状や袋状のプラスチックス製品の廃材や端材を一時貯留する貯留室１と、
前記貯留室１の下方に配設され、前記貯留室１に貯留されたシート状や袋状のプラスチック製品の廃材や端材を前記貯留室１の一方の側面から順次貯留室１の上方外に搬出するベルトコンベア２と、
前記ベルトコンベア２の一方のテールローラ−２ａの回転軸を貯留室１の下部に回動可能に支持するベルトコンベア支持機構３と、
前記ベルトコンベア２の傾斜角度を前記ベルトコンベア支持機構３を回動軸として回動させて調節する傾斜角度調節機構４とで構成され、
これらすべてがキャスター６ａとストッパー６ｂを備えた架台６に搭載固定されている。
【００２０】
そして前記貯留室１は、図１に示すように、上部はシート状や袋状のプラスチック製品の廃材や端材が投入できるよう開放され、左右いずれか一方の側面壁板１０ａは図３、図４にその断面を示すように垂直面でなる上部とその下端から下方内側に向けて傾斜させてなる傾斜面とで形成され、前面壁板１０ｂ及び背面壁板１０ｃは、図２に示すように左右いずれか一方の側辺は前記側面壁板１０ａの断面形状に合わせた形状とされ、もう一方の側辺は前記ベルトコンベア２の傾斜角度調節による回動軌道に合わせて円弧状に形成されてなり、もう一方の側面と底面とは開放状態の筐体１０と、前記開放状態とされた筐体１０の底面と側面とを塞ぐようにして配設された前記ベルトコンベアとで形作られ、かつ、前記ベルトコンベア２が、その一方側のテールローラー２３ａの回転軸を前記筐体１０の側面壁板１０ａの下端部の下方に位置する架台６にその傾斜角度の調節が可能なように回動自在に支持させ、もう一方側のテールローラー２３ｂを前記筐体１０の開放された側面から筐体１０外に突出するように配設されている。
したがって、後述するベルトコンベア２の傾斜角度調節機構によって、前記筐体１０の開放部をベルトコンベア２で塞ぐと（図３参照）、開放された上部から投入されたシート状や袋状のプラスチックス製品の廃材や端材は、貯留室１に蓄積貯留され、前記ベルトコンベアの傾斜角度を調節して前記筐体１０側面を開口してベルトコンベア２を稼働すれば（図４参照）、貯留された前記シート状や袋状のプラスチックス製品の廃材や端材を、装置外に搬出することが可能となる。ベルトコンベアを起動する回転モーター２４はテールローラー２３ｂに接続され、前記排出部５の側壁に設置されている（図１参照）。
なお、前記ベルトコンベア２の表面には、高さの異なる２種の金属製の溝型部材２１ａ、２１ｂが交互に多数配設・固着されており、軽量かつ柔軟なシート状や袋状のプラスチックス製品の廃材や端材をこの高さの異なる前記金属製溝型部材２１ａ、２１ｂに引っかけて搬送することによって円滑に効率よく搬出できるよう構成されている。
また  前記ベルトコンベア２の前記貯留室１の筐体１０外に突出する部分の先端に、前記ベルトコンベア２で搬出したシート状又は袋状のプラスチックスの廃材や端材を堰き止め、次工程の再生処理装置へ搬送するベルトコンベアへ拡散させることなく落下させる排出部（５）を有している。
さらに筐体の前面壁板１０ｂと背面壁板１０ｃ及び側面壁板１０ａのそれぞれ上部一部が蝶番等の開閉機構によって外方に開かれ、筐体内の保守点検を容易にしてなることも好ましい。
【００２１】
前記ベルトコンベアの傾斜角度調節機構３は、図５に示すように、
前記ベルトコンベア２の傾斜角度を調節するための回転ハンドル４１（図２参照）と、該回転ハンドル４１の回動をねじ棒４２の上下動に変換するギアボックス４３と、前記ねじ棒４２の上端に固着され、後述する前記ベルトコンベア２に備えられた小型ローラー２５を載置して前記ねじ棒４２の上下動をベルトコンベア２に伝達する直方形状の傾斜角度調節板４４と、前記傾斜角度調節板４４の左右両端下面に垂設され、下部を前記ギアボックス４３を配設した基板４７上に並べて配設された軸受４６に摺動可能に挿通支持された前記傾斜角度調節板４４の水平保持棒４５とで構成される昇降機構と、
前記昇降機構の真上に位置する前記ベルトコンベア２のフレーム２２の両側面から下方に向けて突設された２枚の小型ローラー支持板２６の下端部間にベルトコンベア２のコンベアベルト２１の表面に設けた前記溝型部材２１ａ、２１ｂに接触しないよう離して設けられた小型ローラー２５とでなるベルトコンベア２の傾斜角度調節部材とで構成されている。
【００２２】
前記ベルトコンベア２の傾斜角度調節機構３が、前記ベルトコンベア２が前記貯留室１の外側に突出する側の架台６の前方部と後方部とにそれぞれ設けられ、前記回転ハンドル４１の回転軸４１ａが前記架台６の前方部と後方部に備えた傾斜角度調節機構の２つのギアボックス４３に結合するよう配設されている。したがって２つのギアボックスは同期して回転し前方部と後方部のねじ棒４２は、同一速度で前記傾斜角度調節板４４を上下させるので、前記ベルトコンベア２の傾斜角度調節は、容易、確実、安全に実施できる。
また、前記ベルトコンベア２の傾斜角度を小さくすると、前記ねじ棒４２はギアボックス４３から降下して来るが、該ねじ棒４２には前記ギアボック４１とのとの噛み合わせを円滑にするために潤滑油等が塗布されており、これに作業場内の塵埃が付着するのを防止するための防塵ケースを４２ａを前記基板４７の下面に設け、前記ねじ棒４２がこの防塵ケース４２ａ内に降下するようにされることも好ましい。
【符号の説明】
【００２３】
１：貯留室
２：ベルトコンベア
３：ベルトコンベア支持機構
４：傾斜角度調節機構
５；排出部
６：架台
６ａ：キャスター
６ｂ：ストッパー
１０：筐体
１０ａ：側面壁板
１０ｂ：前面壁板
１０ｃ：背面壁板
２１：コンベアベルト
２１ａ、２１ｂ：溝型部材
２２：フレーム
２３ａ、２３ｂ：テールローラー
２４：回転モーター
２５：小型ローラー
２６：小型ローラー支持板
４１：回転ハンドル
４１ａ：回転軸
４２：ねじ棒
４２ａ；防塵ケース
４３：ギアボックス
４４：傾斜角度調節板
４５：水平保持棒
４６：軸受
４７：基板
【図１】
2018069595.tif 000003
【図２】
2018069595.tif 000004
【図３】
2018069595.tif 000005
【図４】
2018069595.tif 000006
【図５】
2018069595.tif 000007